【手続補正書】
【提出日】令和3年11月8日(2021.11.8)
【手続補正１】
【補正対象書類名】明細書
【補正対象項目名】０１２４
【補正方法】変更
【補正の内容】
【０１２４】
上記の説明は、当業者が本明細書に記載された様々な実施例を実施できるようにするた
めに提供される。これらの変形に対する様々な修正は、当業者には容易に明らかであり、
本明細書で定義される一般的な原理は、他の実施形態に適用することができる。当業者に
公知であるか、または後で公知となる、本開示を通して記載された種々の著名な実施例の
要素に対する全ての構造的および機能的等価物は、参照により本明細書に明示的に組み込
まれる。
＜付記＞
項１
硫黄源と、
少なくとも１つの一過性ジヒドロカルビルキサントゲンポリスルフィド促進剤と、
少なくとも１つのアルデヒド−アニリン縮合物と、
金属酸化物と、
を含む、加硫組成物。
項２
非一過性促進剤を含まない、項１に記載の加硫組成物。
項３
促進剤としてジチオカルバミン酸塩、チウラム、チアゾール、グアニジンまたはチオ尿
素を含まない、項１に記載の加硫組成物。
項４
１つのみの一過性ジヒドロカルビルキサントゲンポリスルフィド促進剤と、１つのみの
アルデヒド−アニリン縮合物とを含み、
エラストマーを加硫するための促進剤として機能する追加の化合物を含まない、
項１に記載の加硫組成物。
項５
前記硫黄源は元素硫黄を含み、
前記少なくとも１つの一過性ジヒドロカルビルキサントゲンポリスルフィド促進剤は、
ジイソプロピルキサントゲンポリスルフィドを含み、
前記少なくとも１つのアルデヒド−アニリン縮合物は、ヘプタアルデヒド−アニリンを
含み、
前記金属酸化物は、酸化亜鉛、酸化マグネシウム、酸化鉛及びこれらの組み合わせから
なる群から選択される、
項１に記載の加硫組成物。
項６
前記硫黄源は、低いアレルゲンのポテンシャルを有する元素硫黄および硫黄供与体、な
らびにそれらの組み合わせからなる群から選択され、
前記少なくとも１つの一過性ジヒドロカルビルキサントゲンポリスルフィド促進剤は、
ジイソプロピルキサントゲンポリスルフィド（ＤＩＸＰ）、ジイソプロピルキサントゲン
ジスルフィド、ジイソプロピルキサントゲントリスルフィド、ジイソプロピルキサントゲ
ンテトラスルフィド、ジイソプロピルキサントゲンペンタスルフィド、ジイソアミルキサ
ントゲントリスルフィド、ジイソアミルキサントゲンテトラスルフィド、ジイソアミルキ
サントゲンペンタスルフィド、ジエチルキサントゲンテトラスルフィド、ジブチルキサン
トゲンテトラスルフィド、ジブチルキサントゲンジスルフィド、およびそれらの組み合わ
せからなる群より選択される、
項１に記載の加硫組成物。
項７
追加のキサントゲン酸塩化合物を含まない、項１に記載の加硫組成物。
項８
前記硫黄源が、ゴム１００乾燥重量部当たり約０．５〜約３乾燥重量部の範囲で備えら
れ、
前記少なくとも１つのジヒドロカルビルキサントゲンポリスルフィド促進剤が、ゴム１
００乾燥重量部当たり約０．５〜約５乾燥重量部の範囲で備えられ、
前記少なくとも１つのアルデヒド−アニリン縮合物が、ゴム１００乾燥重量部当たり約
０．０５〜約０．５ｐｈｒの範囲で備えられ、
前記金属酸化物が、ゴム重量１００乾燥重量部当たり０．１〜約２乾燥重量部の範囲で
備えられる、
項１に記載の加硫組成物。
項９
前記硫黄源が、ゴム１００乾燥重量部当たり約１．０〜約１．５乾燥重量部の範囲で備
えられ、
前記少なくとも１つのジヒドロカルビルキサントゲンポリスルフィド促進剤が、ゴム１
００乾燥重量部当たり約１．０〜約２．５乾燥重量部の範囲で備えられ、
前記少なくとも１つのアルデヒド−アニリン縮合物が、ゴム１００乾燥重量部当たり約
０．１０〜約０．２５ｐｈｒの範囲で備えられ、
前記金属酸化物が、ゴム重量１００乾燥重量部当たり０．２〜約０．８乾燥重量部の範
囲で備えられる、
項８に記載の加硫組成物。
項１０
項１に記載の加硫組成物を用いて形成されたエラストマー物品であって、前記組成物は非一過性促進剤を含まない、エラストマー物品。
項１１
前記エラストマー物品が１ｐｐｍ未満の残留ＤＩＸＰを含む、項１０に記載のエラストマー物品。
項１２
項７に記載の加硫組成物を用いて形成されたエラストマー物品であって、エラストマーを加硫するための促進剤として機能する追加の化合物を含まない、エラストマー物品。
項１３
前記エラストマー物品が、手袋、プローブカバー、指サック、カテーテル、歯科用ダム
およびコンドームからなる群から選択される、項１２に記載のエラストマー物品。
項１４
前記エラストマー物品が粉無しのものである、項１２に記載のエラストマー物品。
項１５
元素硫黄と、
ジイソプロピルキサントゲンポリスルフィドと、
ヘプタアルデヒド−アニリンと、
金属酸化物と、
からなる、加硫組成物。
項１６
ポリイソプレンと、
元素硫黄、ジイソプロピルキサントゲンポリスルフィド、ヘプタアルデヒド−アニリン
及び金属酸化物からなる加硫組成物と、
を含む、ラテックス分散体。
項１７
エラストマーを加硫するための促進剤として機能する追加の化合物を含まない、項１６に記載のラテックス分散体。
項１８
低減されたアレルゲンのポテンシャルのポリイソプレンエラストマー物品を調製する方
法であって、
項１６に記載のラテックス分散体を提供する工程と、
凝固剤浸漬により前記ラテックス分散体で成形具を被覆して第１のエラストマー層を形
成する工程と、
前記第１のエラストマー層を乾燥および加硫する工程と、
を含む、方法。
項１９
前記第１のエラストマー層で被覆された前記成形具を第２のラテックス分散体で被覆し
て第２のエラストマー層を形成する工程をさらに含み、
前記第２のエラストマー層は、前記第１のエラストマー層を乾燥および加硫する前に適
用される、
項１８に記載の方法。
項２０
前記第２のエラストマー層が、前記第１のエラストマー層と同じ組成を有する、項１９に記載の方法。
項２１
前記第２のエラストマー層が、前記第１のエラストマー層とは異なる組成を有する、項１９に記載の方法。
項２２
前記第２のエラストマー層が、天然ゴム、ポリウレタン、ポリブタジエン、ポリクロロ
プレン、ニトリルゴム、スチレンとブタジエンのブロックコポリマー、スチレンとイソプ
レンのブロックコポリマー、および合成ポリイソプレンからなる群から選択される第２の
ポリマーラテックスをさらに含むラテックス分散体から形成される、項１９に記載の方法。
項２３
エラストマー物品用コーティング組成物であって、
項１６に記載のラテックス分散体と、
天然ゴム、ポリウレタン、ポリブタジエン、ポリクロロプレン、ニトリルゴム、スチレ
ンとブタジエンのブロックコポリマー、スチレンとイソプレンのブロックコポリマー、お
よび合成ポリイソプレンからなる群から選択される第２のポリマーラテックスと、
水と、
を含み、
前記コーティング組成物の全固形分含有量は、約３％〜約１５％である、
エラストマー物品用コーティング組成物。
項２４
前記第２のポリマーラテックスが、ニトリルおよび合成ポリイソプレンからなる群より
選択される、項２３に記載のコーティング組成物。
項２５
項１６に記載のラテックス分散体を用いて形成されたエラストマー物品であって、
エラストマーを加硫するための促進剤として機能する追加の化合物を含まない、エラスト
マー物品。
項２６
項２３に記載のコーティング組成物を用いて形成されたエラストマー物品であって、エラストマーを加硫するための促進剤として機能する追加の化合物を含まない、エラストマー物品。
項２７
前記エラストマー物品が、手袋、プローブカバー、指サック、カテーテル、歯科用ダム
、およびコンドームからなる群から選択され、
前記エラストマー物品は粉無しのものである、
項２５に記載のエラストマー物品。
項２８
前記エラストマー物品が、手袋、プローブカバー、指サック、カテーテル、歯科用ダム
、およびコンドームからなる群から選択され、
前記エラストマー物品は粉無しのものである、
項２６に記載のエラストマー物品。
【手続補正２】
【補正対象書類名】特許請求の範囲
【補正対象項目名】全文
【補正方法】変更
【補正の内容】
【特許請求の範囲】
【請求項１】
硫黄源と、
少なくとも１つの一過性ジヒドロカルビルキサントゲンポリスルフィド促進剤と、
少なくとも１つのアルデヒド−アニリン縮合物と、
金属酸化物と、
を含む、加硫組成物。
【請求項２】
非一過性促進剤を含まない、請求項１に記載の加硫組成物。
【請求項３】
促進剤としてジチオカルバミン酸塩、チウラム、チアゾール、グアニジンまたはチオ尿
素を含まない、請求項１に記載の加硫組成物。
【請求項４】
１つのみの一過性ジヒドロカルビルキサントゲンポリスルフィド促進剤と、１つのみの
アルデヒド−アニリン縮合物とを含み、
エラストマーを加硫するための促進剤として機能する追加の化合物を含まない、
請求項１に記載の加硫組成物。
【請求項５】
前記硫黄源は元素硫黄を含み、
前記少なくとも１つの一過性ジヒドロカルビルキサントゲンポリスルフィド促進剤は、
ジイソプロピルキサントゲンポリスルフィドを含み、
前記少なくとも１つのアルデヒド−アニリン縮合物は、ヘプタアルデヒド−アニリンを
含み、
前記金属酸化物は、酸化亜鉛、酸化マグネシウム、酸化鉛及びこれらの組み合わせから
なる群から選択される、
請求項１に記載の加硫組成物。
【請求項６】
前記硫黄源は、低いアレルゲンのポテンシャルを有する元素硫黄および硫黄供与体、な
らびにそれらの組み合わせからなる群から選択され、
前記少なくとも１つの一過性ジヒドロカルビルキサントゲンポリスルフィド促進剤は、
ジイソプロピルキサントゲンポリスルフィド、ジイソプロピルキサントゲンジスルフィド、ジイソプロピルキサントゲントリスルフィド、ジイソプロピルキサントゲンテトラスルフィド、ジイソプロピルキサントゲンペンタスルフィド、ジイソアミルキサントゲントリスルフィド、ジイソアミルキサントゲンテトラスルフィド、ジイソアミルキサントゲンペンタスルフィド、ジエチルキサントゲンテトラスルフィド、ジブチルキサントゲンテトラスルフィド、ジブチルキサントゲンジスルフィド、およびそれらの組み合わせからなる群より選択される、
請求項１に記載の加硫組成物。
【請求項７】
追加のキサントゲン酸塩化合物を含まない、請求項１に記載の加硫組成物。
【請求項８】
前記硫黄源が、ゴム１００乾燥重量部当たり０．５〜３乾燥重量部の範囲で備えら
れ、
前記少なくとも１つのジヒドロカルビルキサントゲンポリスルフィド促進剤が、ゴム１
００乾燥重量部当たり０．５〜５乾燥重量部の範囲で備えられ、
前記少なくとも１つのアルデヒド−アニリン縮合物が、ゴム１００乾燥重量部当たり０．０５〜０．５乾燥重量部の範囲で備えられ、
前記金属酸化物が、ゴム重量１００乾燥重量部当たり０．１〜２乾燥重量部の範囲で
備えられる、
請求項１に記載の加硫組成物。
【請求項９】
前記硫黄源が、ゴム１００乾燥重量部当たり１．０〜１．５乾燥重量部の範囲で備
えられ、
前記少なくとも１つのジヒドロカルビルキサントゲンポリスルフィド促進剤が、ゴム１
００乾燥重量部当たり１．０〜２．５乾燥重量部の範囲で備えられ、
前記少なくとも１つのアルデヒド−アニリン縮合物が、ゴム１００乾燥重量部当たり０．１０〜０．２５乾燥重量部の範囲で備えられ、
前記金属酸化物が、ゴム重量１００乾燥重量部当たり０．２〜０．８乾燥重量部の範
囲で備えられる、
請求項８に記載の加硫組成物。
【請求項１０】
請求項１に記載の加硫組成物を用いて形成されたエラストマー物品であって、前記組成
物は非一過性促進剤を含まない、エラストマー物品。
【請求項１１】
前記エラストマー物品が１ｐｐｍ未満の残留ジイソプロピルキサントゲンポリスルフィドを含む、請求項１０に記載のエラストマー物品。
【請求項１２】
請求項７に記載の加硫組成物を用いて形成されたエラストマー物品であって、エラスト
マーを加硫するための促進剤として機能する追加の化合物を含まない、エラストマー物品
。
【請求項１３】
前記エラストマー物品が、手袋、プローブカバー、指サック、カテーテル、歯科用ダム
およびコンドームからなる群から選択される、請求項１２に記載のエラストマー物品。
【請求項１４】
前記エラストマー物品が粉無しのものである、請求項１２に記載のエラストマー物品。
【請求項１５】
元素硫黄と、
ジイソプロピルキサントゲンポリスルフィドと、
ヘプタアルデヒド−アニリンと、
金属酸化物と、
からなる、加硫組成物。
【請求項１６】
ポリイソプレンと、
元素硫黄、ジイソプロピルキサントゲンポリスルフィド、ヘプタアルデヒド−アニリン
及び金属酸化物からなる加硫組成物と、
を含む、ラテックス分散体。
【請求項１７】
エラストマーを加硫するための促進剤として機能する追加の化合物を含まない、請求項
１６に記載のラテックス分散体。
【請求項１８】
低減されたアレルゲンのポテンシャルのポリイソプレンエラストマー物品を調製する方
法であって、
請求項１６に記載のラテックス分散体を提供する工程と、
凝固剤浸漬により前記ラテックス分散体で成形具を被覆して第１のエラストマー層を形
成する工程と、
前記第１のエラストマー層を乾燥および加硫する工程と、
を含む、方法。
【請求項１９】
前記第１のエラストマー層で被覆された前記成形具を第２のラテックス分散体で被覆し
て第２のエラストマー層を形成する工程をさらに含み、
前記第２のエラストマー層は、前記第１のエラストマー層を乾燥および加硫する前に適
用される、
請求項１８に記載の方法。
【請求項２０】
前記第２のエラストマー層が、前記第１のエラストマー層と同じ組成を有する、請求項
１９に記載の方法。
【請求項２１】
前記第２のエラストマー層が、前記第１のエラストマー層とは異なる組成を有する、請
求項１９に記載の方法。
【請求項２２】
前記第２のエラストマー層が、天然ゴム、ポリウレタン、ポリブタジエン、ポリクロロ
プレン、ニトリルゴム、スチレンとブタジエンのブロックコポリマー、スチレンとイソプ
レンのブロックコポリマー、および合成ポリイソプレンからなる群から選択される第２の
ポリマーラテックスをさらに含むラテックス分散体から形成される、請求項１９に記載の
方法。
【請求項２３】
エラストマー物品用コーティング組成物であって、
請求項１６に記載のラテックス分散体と、
天然ゴム、ポリウレタン、ポリブタジエン、ポリクロロプレン、ニトリルゴム、スチレ
ンとブタジエンのブロックコポリマー、スチレンとイソプレンのブロックコポリマー、お
よび合成ポリイソプレンからなる群から選択される第２のポリマーラテックスと、
水と、
を含み、
前記コーティング組成物の全固形分含有量は、３％〜１５％である、
エラストマー物品用コーティング組成物。
【請求項２４】
前記第２のポリマーラテックスが、ニトリルおよび合成ポリイソプレンからなる群より
選択される、請求項２３に記載のコーティング組成物。
【請求項２５】
請求項１６に記載のラテックス分散体を用いて形成されたエラストマー物品であって、
エラストマーを加硫するための促進剤として機能する追加の化合物を含まない、エラスト
マー物品。
【請求項２６】
請求項２３に記載のコーティング組成物を用いて形成されたエラストマー物品であって
、エラストマーを加硫するための促進剤として機能する追加の化合物を含まない、エラス
トマー物品。
【請求項２７】
前記エラストマー物品が、手袋、プローブカバー、指サック、カテーテル、歯科用ダム
、およびコンドームからなる群から選択され、
前記エラストマー物品は粉無しのものである、
請求項２５に記載のエラストマー物品。
【請求項２８】
前記エラストマー物品が、手袋、プローブカバー、指サック、カテーテル、歯科用ダム
、およびコンドームからなる群から選択され、
前記エラストマー物品は粉無しのものである、
請求項２６に記載のエラストマー物品。